(57)【要約】【課題】従来に比して各段的に使い勝手を向上することができ、さらにはエラーの発生を充分に防止することができる電子書籍の制作方法を提案する。【解決手段】紙媒体書籍のフォーマットによる書籍データをプレーンテキストに変換するプレーンテキスト化のステップＳＰ３と、オペレータの操作に応動して前記プレーンテキストにタグを設定してタグ付きのテキストデータを生成する編集のステップＳＰ４と、前記タグ付きのテキストデータを電子書籍フォーマットに対応するデータに変換するデータ変換ステップＳＰ５と、前記データ変換ステップで生成したデータを処理して、電子書籍のファイルを作製するパッケージングのステップＳＰ６とを備える。【選択図】図１
2015022454.tif 000002
【特許請求の範囲】
【請求項１】
紙媒体書籍のフォーマットによる書籍データをプレーンテキストに変換するプレーンテキスト化のステップと、
オペレータの操作に応動して前記プレーンテキストにタグを設定してタグ付きのテキストデータを生成する編集のステップと、
前記タグ付きのテキストデータを電子書籍フォーマットに対応するデータに変換するデータ変換ステップと、
前記データ変換ステップで生成したデータを処理して、電子書籍のファイルを作製するパッケージングのステップとを備える
電子書籍の制作方法。
【請求項２】
前記データ変換ステップは、
前記編集のステップで設定したタグを、前記電子書籍フォーマットに対応するタグに置き換える置換のステップを備える
請求項１に記載の電子書籍の制作方法。
【請求項３】
前記電子書籍フォーマットに対応するデータが、ＸＨＴＭＬ形式又はｔｘｔ形式のデータである
請求項１又は請求項２に記載の電子書籍の制作方法。
【発明の詳細な説明】
【技術分野】
【０００１】
本発明は、電子書籍の制作方法に関する。
【背景技術】
【０００２】
従来、紙媒体による書籍の出版に関して、編集処理に供するアプリケーションプログラムであるいわゆる組版ソフトが提供されている。この組版ソフトでは、ＨＴＭＬファイルと同様に各種のタグによる制御コードを記述したファイルフォーマットが採用されている。具体的に、この種のフォーマットは、ＩｎＤｅｓｉｇｎ、ＱｕａｒｋＸＰｒｅｓｓ、ＰＤＦ等である。以下、このようなファイルフォーマットを紙媒体書籍のフォーマットと呼ぶ。
【０００３】
近年、このような紙媒体書籍のフォーマットによる書籍データを使用して、紙媒体により出版した書籍を電子書籍により出版することが行われている。この場合、紙媒体書籍のフォーマットによる書籍データを、対応するオーサリングソフトで編集処理した後、電子書籍のファイルにフォーマットに変換している。なおこの電子書籍のフォーマットは、例えばＥＰＵＢ、ＸＭＤＦ等である。このように紙媒体書籍のフォーマットによるデータを利用して電子書籍を作製する場合、過去の紙媒体による出版に供したデータを有効に利用することができる。
【０００４】
このような電子書籍の作製に関して、特許文献１には、索引の作製に関する工夫が提案されている。
【先行技術文献】
【特許文献】
【０００５】
【特許文献１】特開２０１０−１７６４５０号公報
【発明の概要】
【発明が解決しようとする課題】
【０００６】
ところで既存のオーサリングソフトを使用して電子書籍を作製する場合、専門的なタグを知らなくても電子書籍を制作することができる。
【０００７】
しかしながら既存のオーサリングソフトを使用して電子書籍を作製する場合、編集処理がオーサリングソフトの機能に依存することになり、その結果、使い勝手の点で実用上未だ不十分な問題がある。具体的に、細かい指定によりオペレータの入力を自動補完することが困難な場合や、独自のタグ指定が困難な場合等であり、これらにより編集処理を効率良く実行できない場合がある。またコピー、貼り付け等の範囲が制限される場合もあり、この場合には長文の文章による書籍を電子書籍化する場合に、処理に時間を要することになる。
【０００８】
またさらにＥＰＵＢのフォーマットは日本語に十分に対応できていないことにより、編集元である紙媒体書籍のフォーマットによる書籍データによっては、設定されたタグによりエラーが発生し、このエラーの訂正に多くの時間を要する問題もある。
【０００９】
本発明は、これらの問題点を考慮してなされたもので、従来に比して各段的に使い勝手を向上することができ、さらにはエラーの発生を充分に防止することができる電子書籍の制作方法を提案することを目的とする。
【課題を解決するための手段】
【００１０】
本発明者らは、紙媒体書籍のフォーマットによるデータをプレーンテキストのデータに変換した後、編集処理によりタグを設定して電子書籍のデータに変換するとの着想を得、本発明を完成するに至った。
【００１１】
（１）  紙媒体書籍のフォーマットによる書籍データをプレーンテキストに変換するプレーンテキスト化のステップと、
オペレータの操作に応動して前記プレーンテキストにタグを設定してタグ付きのテキストデータを生成する編集のステップと、
前記タグ付きのテキストデータを電子書籍フォーマットに対応するデータに変換するデータ変換ステップと、
前記データ変換ステップで生成したデータを処理して、電子書籍のファイルを作製するパッケージングのステップとを備える。
【００１２】
（１）によれば、プレーンテキスト化して編集処理することにより、機能面におけるオーサリングソフトへの依存を従来に比して各段的に低減することができ、従来に比して各段的に使い勝手を向上することができる。また版組ソフトで独自に設定されるタグを取り除いて処理できることにより、この種のタグによるエラーの発生も十分に防止することができる。
【００１３】
（２）  （１）において、前記データ変換ステップは、
前記編集のステップで設定したタグを、前記電子書籍フォーマットに対応するタグに置き換える置換のステップを備える。
【００１４】
（２）によれば、オペレータが簡易かつ確実に入力できるタグにより編集処理した後、正規のタグに設定し直すことができ、編集処理を簡略化することができる。またキーボードを使用したタグの入力によっても編集処理することができ、機能面におけるソフトへの依存を一段と低減することができる。
【００１５】
（３）  （１）又は（３）において、
前記電子書籍フォーマットに対応するデータが、ＸＨＴＭＬ形式又はｔｘｔ形式のデータである。
【００１６】
（３）によれば、より具体的構成により、従来に比して各段的に使い勝手を向上することができ、さらにはエラーの発生を充分に防止することができる。
【発明の効果】
【００１７】
本発明によれば、従来に比して各段的に使い勝手を向上することができ、さらにはエラーの発生を充分に防止することができる。
【図面の簡単な説明】
【００１８】
【図１】本発明の第１実施形態に係る電子書籍の制作手順を示すフローチャートである。
【図２】図１の処理手順による処理の説明に供する図である。
【図３】処理対象の書籍データによる書籍の一部を示す図である。
【図４】図３に示す箇所をテキスト化したデータを示す図である。
【図５】図４のデータをプレーンテキスト化したデータを示す図である。
【図６】タグを示す図である。
【図７】編集処理によりタグの設定されたファィルを示す図である。
【図８】タグを置き換えて作製したテキストデータを示す図である。
【図９】ＸＨＴＭＬ形式によるタグを置き換えて作製したテキストデータを示す図である。
【図１０】ｔｘｔ形式によるタグを置き換えて作製したテキストデータを示す図である。
【図１１】ＥＰＵＢ形式による電子書籍の説明に供する図である。
【発明を実施するための形態】
【００１９】
以下、本発明の実施形態について図面を参照しながら詳述する。
【００２０】
図１は、本発明の第１実施形態に係る電子書籍の作製処理手順を示すフローチャートである。この実施形態においては、コンピュータにインストールした電子書籍用作製ソフトによりこの処理手順を実行し、紙媒体書籍のフォーマットによるデータを利用して電子書籍を作製する。また図２は、この図１の処理手順との対比により電子書籍の作製に係るデータ処理を模式的に示す図である。
【００２１】
この実施形態では、始めに処理に供する紙媒体書籍のフォーマット（図２においては、書籍データフォーマットにより示す）による書籍データを取得する（ステップＳＰ１−ＳＰ２）。図３は、この書籍データによる書籍の一部を示す図である。この書籍データは、ＨＴＭＬファィルと同様のタグにより制御コードが記述されたタグ付きテキストデータであり、例えばフォントの種類、サイズ等がタグにより定義されている。しかしながら同一フォーマットであっても、紙媒体書籍の編集処理に供した組版ソフトでは、他の組版ソフトでは解釈することが困難な独自のタグが設定されている場合もある。
【００２２】
この実施形態では、この紙媒体書籍のフォーマットによる書籍データを例えばデータベース等からのネットワークを介したダウンロードにより、さらには各種記録媒体からのダウンロードにより取得する。なおこのように紙媒体書籍のフォーマットによる書籍データを再利用する代わりに、入稿された原稿に係るテキストデータを取得することにより、紙媒体書籍を経ることなく、直接に電子書籍を作製する場合にも広く適用できることは言うまでも無い。なおこのように直接に電子書籍を作製する場合、さらには紙媒体書籍のフォーマットによる書籍データを利用する場合、電子書籍で新たに画像を記録する場合、並行して対応する画像データを取得する。
【００２３】
続いてこの電子書籍の作製処理では、取得した紙媒体書籍のフォーマットによる書籍データをプレーンテキスト化する（ステップＳＰ３）。ここでプレーンテキストは、フォントの種類、サイズ等の情報が設定されていない、文字コードのみによるテキストファイルである。この実施形態では、例えば電子書籍のフォーマットによる書籍データの対応する組版ソフト、ビュアーによりファイルを開いてテキストに書き出し、これからタグ、改行等を削除してプレーンテキスト化する。しかして図４（Ａ）及び（Ｂ）は、図３に対応する箇所をテキスト化したものであり、図５は、その一部についてタグ、改行を削除して作製したプレーンテキストである。
【００２４】
続いてこの電子書籍の作製処理では、オペレータの操作に応動してこのプレーンテキストにタグを設定することにより編集処理を実行する（ステップＳＰ４）。
【００２５】
しかしてこのように一旦プレーンテキストに変換した後、このプレーンテキストにタグを設定して編集処理することにより、編集処理におけるオーサリングソフトへの機能の依存程度を従来に比して各段的に低減することができる。すなわち細かな指定によりオペレータの入力を自動補完したり、独自のタグを指定したり、コピー、貼り付け等の制限を緩和することができ、これらにより従来に比して各段的に使い勝手を向上することができる。また紙媒体書籍のフォーマットにおけるタグによるエラーの発生も十分に回避することができる。
【００２６】
またこの処理においては、紙媒体書籍のフォーマット、電子書籍のフォーマットに比して各段に簡易な形式によるタグにより編集処理を実行できるように構成され、これによりこの実施形態では例えば直接キーボードを操作してタグを入力するようにしても編集処理を実行できるように構成される。図６は、このタグの例を示す図である。この図６の例では、小文字ｉと数字とによりインデントを設定し、小文字ｂ、ｄによりそれぞれ太字、大文字を指示する。図７は、図５との対比により編集処理によりタグの設定されたファィルを示す図である。
【００２７】
この編集処理においては、電子書籍に記載する画像データについても、編集処理により色調、サイズ等の編集処理を受け付けて記録し、オペレータの操作によりこの記録した画像データを指示するタグがテキストデータに設定される。
【００２８】
続いて電子書籍の作製処理では、書き出し処理（データ変換処理）（ステップＳＰ５）により、作製目標の電子書籍フォーマットに対応するように、編集処理したテキストデータを変換処理する。ここでこの変換処理では、始めに編集処理で設定したタグを、電子書籍のフォーマットで使用する本来のタグ（電子書籍フォーマットで定義された対応するタグ）に全て置き換える。図８は、図７との対比によりこのタグを置き換えて作製されたテキストデータを示す図である。
【００２９】
この一連の処理において、この電子書籍の作製処理では、置き換えに供するタグを一括して置き換える。またオペレータの指示により電子書籍をＥＰＵＢフォーマットにより電子書籍を作製する場合、図９に示すように、タグを置き換えて作製したテキストデータをＸＨＴＭＬ形式により記録する。またＸＭＤＦフォーマットにより電子書籍を作製する場合、図１０に示すように、タグを置き換えて作製したテキストデータをｔｘｔ形式で記録する。
【００３０】
続いて電子書籍の作製処理では、パッケージング処理（ステップＳＰ６）によりこのようにして作製したテキストデータを処理して電子書籍のデータを生成する。ここでパッケージングの処理では、始めに書籍の情報（著者名・出版社名・発行日等）の入力を受け付ける。なおこれらの情報については、編集処理の際に入力を受け付けるようにしてもよい。さらにＥＰＵＢ形式により電子書籍を作製する場合、書籍の情報、作製したＸＨＴＭＬ形式によるデータをパッケージングしてデータ圧縮処理し、これによりＥＰＵＢ形式による電子書籍を作製する。これに対してＸＭＤＦ形式により電子書籍を作製する場合、書籍の情報、作製したｔｘｔ形式によるデータ、画像データを読み込み、ｚｂｆ形式に変換して出力する。
【００３１】
しかして図１１は、ＥＰＵＢ形式による電子書籍のデータ構造を示す図である。この図において、ｍｉｍｅｔｙｐｅ、ｃｏｎｔａｉｎｅｒ．ｘｍｌ、ｃｏｎｔｅｎｔ．ｏｐｆ、ｔｏｃ．ｎｃｘが、ＥＰＵＢ形式であること、ファイルの一覧、場所、目次などを指定するＸＭＬ形式のメタファィルであり、ｃｏｖｅｒ．ｘｈｔｍｌ、ｃｈａｐ０１．ｘｈｔｍｌ、ｓｔｙｌｅｓｈｅｅｔ．ｃｓｓ、ｉｍａｇｅｓ／、ｓａｍｐｌｅ．ｐｎｇが、コンテンツファイルである。紙媒体書籍のフォーマットによる書籍データを直接処理して電子書籍を作製する場合、この紙媒体書籍のフォーマットによる書籍データに設定されているタグによってはメタファイルを正しく設定できない場合が発生し、これにより上述したようなエラーが発生する。またこれらのメタファイルのバグにあっては、特定が困難であることにより、エラーの訂正に時間を要することになる。しかしながらこの実施形態では、プレーンテキストに変換して処理することにより。この種のエラーの発生については有効に回避することができる。
【００３２】
〔他の実施形態〕
以上、本発明の実施に好適な具体的な構成を詳述したが、本発明は、本発明の趣旨を逸脱しない範囲で、上述の実施形態の構成を種々に変更することができる。
【００３３】
すなわち上述の実施形態では、ＥＰＵＢ形式、ＸＭＤＦ形式により電子書籍を作製する場合について述べたが、本発明はこれに限らず、これら以外のフォーマットにより電子書籍を作製する場合にも広く適用することができる。
【図１】
2015022454.tif 000003
【図２】
2015022454.tif 000004
【図３】
2015022454.tif 000005
【図４】
2015022454.tif 000006
【図５】
2015022454.tif 000007
【図６】
2015022454.tif 000008
【図７】
2015022454.tif 000009
【図８】
2015022454.tif 000010
【図９】
2015022454.tif 000011
【図１０】
2015022454.tif 000012
【図１１】
2015022454.tif 000013